(57)【要約】【課題】十分な採光が可能で、目詰まりを生じにくく、かつ水使用量も少なくできる低コストの細霧冷房装置を提供する。【解決手段】ネット３１と、ネット３１に対してその一方側に設けられて細霧をネット面へ供給する噴霧ノズル４と、ネット３１に対してその他方側に設けられてネット３１を一方側から他方側へ通過する気流を生じさせる排気ファン５とを備えている。【選択図】        図５
2008281288.tif 000002
【特許請求の範囲】
【請求項１】
ネットと、前記ネットに対してその一方側に設けられて細霧をネット面へ供給する細霧供給手段と、ネットに対してその他方側に設けられてネットを一方側から他方側へ通過する気流を生じさせる気流発生手段とを備える細霧冷房装置。
【請求項２】
前記ネットを互いに平行に２枚以上設けた請求項１に記載の細霧冷房装置。
【請求項３】
部屋の一方に設けた開口に前記ネットを設置してその外方に前記細霧供給手段を配置するとともに、前記部屋の他方に設けた開口に前記気流発生手段を設置した請求項１又は２に記載の細霧冷房装置。
【請求項４】
筒状筐体の一方の開口に前記ネットを設置してその外方に前記細霧供給手段を配置するとともに、前記筒状筐体の他方の開口に前記気流発生手段を設置した請求項１又は２に記載の細霧冷房装置。
【発明の詳細な説明】
【技術分野】
【０００１】
本発明は細霧冷房装置に関し、特に、噴霧ノズルから細霧を噴霧してその気化熱により空気を冷却し冷房を行う細霧冷房装置に関する。
【背景技術】
【０００２】
近年、従来の施設園芸に加えて、作物を人工環境で育成する高度な環境制御の栽培施設が普及しつつある。この場合の施設内の冷房装置として、水の蒸発による冷却メカニズムを利用した運転コストの安い細霧冷房装置が注目されている。このような細霧冷房装置の一種にパッドアンドファンシステムがある。このシステムは、栽培施設の一方の壁面に、水で濡らした格子状の空気透過パッドを設置して、他方の壁面開口に設けたファンで吸引することにより、上記パッドを通過する外気を加湿し、水分の気化によって冷却された外気を栽培施設内に流通させて冷房を行うものである。なお、特許文献１には空気透過パッドの外面に噴霧ノズルによって微細な水滴を吹き付けておき、上記パッドを通過する外気を水滴の気化熱によって冷却する空調システムが開示されている。
【特許文献１】特開2001-215027
【発明の開示】
【発明が解決しようとする課題】
【０００３】
しかし、上記パッドアンドファンシステムでは、建物の壁面に設けられたパッドによってこの部分の採光が妨げられること、長期使用時に繊維製のパッド内部に藻等が発生して目詰まりを生じること、ハニカム構造のパッドは清掃等のメンテナンスが困難なこと、あるいは気化効率が低いために水の使用量が比較的多いこと等の問題点があった。
【０００４】
そこで、本発明はこのような課題を解決するもので、十分な採光が可能で、目詰まりを生じにくく、かつ水使用量も少なくできる低コストの細霧冷房装置を提供することを目的とする。
【課題を解決するための手段】
【０００５】
上記目的を達成するために、本第１発明では、ネット（３１）と、ネット（３１）に対してその一方側に設けられて細霧をネット面へ供給する細霧供給手段（４）と、ネット（３１）に対してその他方側に設けられてネット（３１）を一方側から他方側へ通過する気流を生じさせる気流発生手段（５）とを備えている。
【０００６】
本第１発明においては、細霧が供給されたネットを通過する際に外気は加湿され水分の蒸発により気化熱を奪われて冷却される。この時、冷却空気中に含まれる気化しきれない余剰の水分はネットの繊維に付着して除去される。余剰の水分が除去された冷却空気は、途中で濡れ損を生じさせることなく流通させられて温度上昇を防止し効果的な冷房を行う。本第１発明ではネットを使用していることにより、採光が妨げられることがないとともに、長期使用時にも目詰まりを生じることがない。また、ネットは清掃等のメンテナンスが容易であるとともに、通気性が良いためネットに生じた水皮膜から流通空気中に効率良く気化が行われて水使用量を少なくでき、設置コストも従来のパッドに比して３０％から５０％低減することができる。
【０００７】
本第２発明では、上記ネット（３１，３２）を互いに平行に２枚以上設ける。本第２発明によれば、冷却空気中の余剰の水分が２枚目以降のネットに付着して除去されるから、さらに濡れ損の発生を防止することができる。
【０００８】
本第３発明では、部屋（１）の一方に設けた開口（１１）にネット（３１，３２）を設置してその外方に細霧供給手段（４）を配置するとともに、部屋（１）の他方に設けた開口（１２）に気流発生手段（５）を設置する。本第３発明によれば、温室や工場等の部屋内に冷気流を生じさせて、部屋内を効率的に冷房することができる。
【０００９】
本第４発明では、筒状筐体（２）の一方の開口（２１）にネット（３１，３２）を設置してその外方に細霧供給手段（４）を配置するとともに、筒状筐体（２）の他方の開口（２２）に気流発生手段（６）を設置する。本第４発明によれば、細霧冷房装置をコンパクト化して、部屋内の必要箇所に簡易に設置することができる。
【００１０】
なお、上記カッコ内の符号は、後述する実施形態に記載の具体的手段との対応関係を示すものである。
【発明の効果】
【００１１】
本発明の細霧冷房装置によれば、十分な採光が可能で、目詰まりを生じにくく、かつ水使用量も少なくすることができる。
【発明を実施するための最良の形態】
【００１２】
（第１実施形態）
図１に本発明の細霧冷房装置を温室に設置した例を示す。図１において、温室１の一方の壁に設けた吸気口１１には冷却部Ｃが設けてあり、冷却部Ｃは内外方向へ向けて設置された矩形筒状の筐体２を備えている。筐体２の入口開口２１には、図２の概略垂直断面図に示すように、これを横断して防虫ネット２３が張設され、室外側には開閉ルーバー２４が上下方向へ間隔をおいて装着されている。筐体２の室内側に位置する出口開口２２の開口縁には内外位置に、開口２２を横断するように平行にネット３１，３２が張設されている。これらネット３１，３２のメッシュは０．２ｍｍ〜０．４ｍｍとしてある。
【００１３】
また、上記入口開口２１内の筐体２底壁上には細霧供給手段としての噴霧ノズル４が開口２１の幅方向へ適宜間隔で複数設けてある（図３）。各噴霧ノズル４は出口開口２２方向へ斜め上方に向けて設けてあり（図２）、これら噴霧ノズル４から噴出された２０μｍ〜４０μｍ程度の細霧Ｗがネット３１の全面にほぼ均一に供給されている。なお、筐体２の底壁上にはネット３１，３２の下部に沿ってタレ受け樋２５（図２）が設けられている。一方、温室１の他方の壁に設けた排気口１２（図１）には気流発生手段としての排気ファン５が設置されている。
【００１４】
このような構造の細霧冷房装置において、排気ファン５を回転させると温室１内が負圧になって筐体２の入口開口２１からネット３１，３２を通って外気が温室１内へ引き込まれる。ネット３１，３２には既述のように噴霧ノズル４によって細霧Ｗが供給されており、ネット３１を通過する際に外気は加湿され水分の蒸発により気化熱を奪われて冷却される。この時、冷却空気中に含まれる気化しきれない余剰の水分はネット３１の繊維に付着しタレ受け樋２５へ垂下して大部分が除去される。そして、続くネット３２を通過する際にさらに冷却空気中の余剰の水分がネット３２に付着してほぼ完全に除去される。なお、タレ受け樋２５で回収された水は再度噴霧ノズル４に循環させて再利用することが可能である。
【００１５】
このようにして余剰の水分がほぼ完全に除去された冷却空気は、温室１内で濡れ損を生じさせることなく、排気ファン５に向けて温室１内を流通して（図１の矢印）当該温室１内の温度上昇を防止しこれを効果的に冷房する。その効果を図４に示す。図４は本発明の冷房装置を設置した場合（図中実線）と設置しない場合（図中破線）について、夏季における温室１内各所の吸気口１１からの距離と、１１時から１３時までの上記各所の平均気温および平均相対湿度を調べたものである。なお、この場合の温室は遮光資材を施していない透明のプラスチック温室で、温室に入る日射量は比較的大きい。図４より明らかなように、本発明の冷房装置を備えた温室では、吸気口２１から離れた地点においてもその温度は吸気口２１付近と同程度に維持され、かつ相対湿度も吸気口２１近くで一時的に上昇するものの、全体として吸気口２１付近と同程度に維持されている。
【００１６】
本発明の冷房装置においては、ネット３１，３２を使用していることにより、外光が十分通過するから吸入口１１付近の採光が妨げられることがないとともに、長期使用時にも目詰まりを生じることがない。また、ネット３１，３２は気化効率が高いために水の使用量を少なくしてランニングコストを低減できるとともに、従来のパッドアンドファンシステムに比して設置コストを３０％から５０％も低減することができる。
【００１７】
（第２実施形態）
図５，図６に示すように、細霧冷房装置を構成する筒状筐体２の出口開口２２に気流発生手段としての排気ファン６を一体に設けた構造とすることができ、このような冷房装置を図７に示すように、第１実施形態で説明した冷却部Ｃと排気ファン５を備えた温室１内の気流流通経路の途中に設置すれば、さらに温室１内の温度、相対湿度および気流の分布を一様にすることができる。
【００１８】
なお、上記各実施形態ではネットを２枚設けているが、１枚でも従来に比して十分な効果を得ることができる。また、３枚以上設けても、もちろん良い。また、噴霧ノズルの作動は温室内の温度や相対湿度に応じて自動制御するようにできる。さらに、本発明の細霧冷房装置は温室以外にキノコ栽培施設、あるいは工場や倉庫等にも設置することができる。また、噴霧ノズルから噴出させられる細霧に消臭剤や芳香剤を混ぜ、あるいは細霧を殺菌消毒や静電防止に使用しても良い。
【図面の簡単な説明】
【００１９】
【図１】本発明の一実施形態を示す細霧冷房装置を設けた温室の概略断面図である。
【図２】細霧冷房装置を構成する冷却部の概略垂直断面図である。
【図３】細霧冷房装置を構成する冷却部の概略水平断面図である。
【図４】温室内の温度および相対湿度の分布を示すグラフである。
【図５】本発明の他の実施形態をしめす、細霧冷房装置を構成する冷却部の概略垂直断面図である。
【図６】細霧冷房装置を構成する冷却部の概略水平断面図である。
【図７】細霧冷房装置を設けた温室の概略断面図である。
【符号の説明】
【００２０】
１…温室（部屋）、１１…吸気口（開口）、１２…排気口（開口）、２…筐体、２１…入口開口、２２…出口開口、３１，３２…ネット、４…噴霧ノズル（細霧供給手段）、５，６…排気ファン（気流発生手段）。
【図１】
2008281288.tif 000003
【図２】
2008281288.tif 000004
【図３】
2008281288.tif 000005
【図４】
2008281288.tif 000006
【図５】
2008281288.tif 000007
【図６】
2008281288.tif 000008
【図７】
2008281288.tif 000009